(57)【要約】【課題】脱臭及び制菌効果を上げるために、化学薬品、又は電気分解水、磁気水等を必要とせず、即ち周囲環境に悪影響を与えることなく、又、電気や磁気などの刺激を与えることなく、且つ液体で、その取り扱い及び使用勝手が不向きではあるが飲用も出来、使用用途が広く、低コストで容易に製造・使用することが出来る、脱臭・制菌・収れん作用のある酸性水の製造方法の提供を課題とする。【解決手段】本発明の有効性は、従来より遠赤外線やマイナスイオン放射性を利用し、細胞の賦活作用といわれる共振励起作用などの作用を生ずる黒鉛珪石からなる。また、３〜１００ミリ程度の形状の黒鉛珪石を材料に、直接水道水又は、湧水等を容器に満たす。この割合は水１００に対し、鉱石は２０％〜３０％とする。水は温水とし、４０〜９９度を保持させることを最良とするが、このことによりＰＨ３〜５前後の酸性水の生成することが出来る方法。【特許請求の範囲】
【請求項１】
常温域である３９．８℃で遠赤外線を９８％放射し、炭素を含有する材料であって、学術名黒鉛珪石（グラファイトシリカ）と呼ばれる生成材料を使用することを特徴とする酸性水生成方法。
【請求項２】
酸性水生成材料としての黒鉛珪石を直接任意の４０〜９９度の温水に固着、又は当着保持させることを特徴とする酸性水生成方法。
【請求項３】
請求項２記載の酸性水生成方法によって経時変化をしないＰＨ３〜５前後の酸性水を生成する機材に関する。
【発明の詳細な説明】
【技術分野】
【０００１】本発明は、遠赤外線を常温で９８％放射する天然鉱石である黒鉛珪石を用いることにより、水を酸性水にする方法及びそれを用いた器材に関する。
【背景技術】
【０００２】従来、脱臭剤や制菌剤及び収れん剤その他液体のものは、その用途を問わず、成分として化学薬品、或いは他の物質を含有させた構成、又は電気分解や磁気などの作用による効果を基本としたものが提供されている。【０００３】消臭、殺菌、制菌作用のある生活雑貨や液剤は多く流通しているが、その殆どはアルコール系、又は界面活性剤を利用しており、空中散布には不向きと考えられ、化学薬品過敏による、アレルギー症などが問題となっており、全く別の方法によるものの開発が望まれている。【０００４】これらの消臭、除菌や酸性の大きな特徴である収れん作用のあるものが、例えば特許開示２００５−１２４８９８や特許第３３２００４２号にあげられる方式が実施されている。【０００５】特許文献１の開示技術は、特許開示２００５−１２４８９８に提案されているように、電解槽内を隔膜で２室に仕切り、その両室に電極を設け、これらの電極を直流電源に接続して陽極室と陰極室を形成し、陽極室と陰極室とに、電解液として食塩（塩化ナトリウム）を混入した水を供給し、この電解質を電気分解することで陽極室から酸性水を、陰極室からはアルカリ水を生成されることが行われていた。【０００６】特許第３３２００４号などに提案されているように磁力線を透時された水道水からなる磁気処理水が入れてある密閉状態の水槽内に所定量の珪藻岩の化石の体積土を投入して、磁気処理水を酸性水に改質できるようにした酸性水の生成方法である。
【特許文献１】特開２００５−１２４８９８
【特許文献２】特許第３３２００４２号
【０００７】以上に述べた酸性水生成方法は、生成するための設備が過大となり、設備投資に負担がかかるものであり、且つメンテナンスも頻繁に行う必要があった。又、得られた生成水も経時変化をおこしやすいというものである。【０００８】従来から、生体に有益な遠赤外線や、高い放射率を示す天然鉱石が示されており、その中の一つに黒鉛珪石がある。黒鉛珪石とは、シリカブラック、ブラックシリカ、その他の呼称がある黒色硬質泥岩で、偏光顕微鏡では、普通の黒色泥岩と同様に、石英、斜長石、絹雲母、カオリン等の粘土鉱物、炭酸塩鉱物、黄鉄鉱とこの鉱石を特徴付ける平行ニコル及びクロスニコル下で完全に暗色な黒色物質が観察される。【０００９】黒鉛珪石の標準的成分組成例は、シリカ８１．４％、アルミニウム６．４％、炭素５．０％、カリウム１．７％、チタン１．２％、二酸化鉄０．５％、マグネシウム０．５％、ナトリウム０．０８％、カルシウム０．０２％である。【００１０】その成分組成は様々であり、決定的な組成により示される作用は特定できない。その遠赤外線、マイナスイオンの放射性によって生体作用を活性化させることが出来る。例えば特許文献３や特許文献４報告されている。
【特許文献３】特開２００１−６９８７０
【特許文献４】特開２００３−２７５３２８
【００１１】特許文献３では、黒鉛珪石の遠赤外線、マイナスイオン放射性を利用し、動植物等生物の生命活性を高め、免疫性を高めた動植物の育成と育成用水の提供を開示している。【００１２】特許文献４では、黒鉛珪石の遠赤外線、マイナスイオン放射性を利用し、生体又は、液体を活性化する装置の提供を目的とする特許の開示をしている。
【特許の概要】
【特許が解決しようとする課題】
【００１３】上述した黒鉛珪石の遠赤外線、マイナスイオン放射性を利用した生体活性は育成用水の生成を狙いとしたデータは開示されているが、本発明の目的は水を活性化させることではない。
【００１４】すなわち本発明は、従来技術の課題である界面活性剤やアルコール系等の化学薬品を使用することなく、又電気分解や磁気を接触することなく酸性水を提供することを目的としたものであり、構造が簡単で、安価に生成することにある。
【００１５】本発明者は、黒鉛珪石の作用や効果に関する一連の研究の結果、黒鉛珪石が酸性水を生成することを見出し、本発明を成した。
【００１６】具体的に本発明は、黒鉛珪石をジュラルミンやステンレス等の容器、すなわち酸性に対して強い素材を用い、水１０に対し鉱石（大きさは５〜１００ミリメートル程度）を２〜３とし、水を４０〜９９度の温水を用い、温度を保持することを最良とする酸性水生成方法である。
【発明の効果】
【００１７】本発明は、黒鉛珪石を材料としており、特別な方法ではなく、温水の温度管理と水との配分のみにて生成できることで、安価に生産が可能である。
【００１８】酸性水の効用効果としては、すでに判明しているが、設備投資や、複雑な装置を設置することなく、従って安価で比較的簡単に生成できることを特徴とする方法である。
【００１９】本発明は、遠赤外線、マイナスイオンを放射する天然鉱石である黒鉛珪石を主成分とする材料に、４０〜９９度の温水を酸に強いジュラルミンやステンレスの容器を用い、温水１０に対し、鉱石２〜３の割合で固着させ、４０〜９９度程度に温度を維持し、約１０時間温めることにより酸性水を得ることができる。
【００２０】更に本発明は、簡単に生成でき、又添加物や電気、磁気を一切必要としないため、環境にも安全で、時間を経ても変化を起こさない。
【発明を実施するための形態】
【００２１】以下、本発明を最良の形態にもとづいて説明する。
【００２２】本発明による酸性水生成方法は、天然鉱石である黒鉛珪石材料として、粒形が５〜１００ミリメートルを材料とした。
【００２３】本発明の実施形態では、５〜１００ミリメートルの大きさのものを使用したが、天然で産する鉱石なので、成分のばらつきによって変成はしない。
【００２４】黒鉛珪石とは、黒色硬質泥岩で、石英、斜長石、絹雲母、カオリン等の粘土鉱物、炭酸塩鉱物、黄鉄鉱ガラスなど平行及びクロスニクル下で完全に暗色な黒色物質が観察され、遠赤外線、マイナスイオンを輻射する特徴を有する。
黒鉛珪石の標準的成分組成例は、シリカ８１．４％、アルミニウム６．４％、炭素５．０％、カリウム１．７％、チタン１．２％、二酸化鉄０．５％、マグネシウム０．５％、ナトリウム０．０８％、カルシウム０．０２％である。
【００２５】次に、上述した生成方法について説明する。容器は、産生する酸に溶解されないように、ジェラルミンやステンレス製のものが最良である。また４０〜９９度の温水を使用し、水温を長時間保持させる必要があるために容器の外側には、断熱の役割を成す材料として、繊維状のもので包む必要がある。
又、鉱石には粉分を付着させる事なく洗浄する事により、より酸性化が進む。
【００２６】温水１００ｌに対して、鉱石は２０〜３０ｋｇとし、大きさも一つ５〜１００ミリメートル程度のものを使用するものとする。小さすぎ、大きすぎると酸性水生成が上手くいかない場合もある。
【００２７】生成作業を終えた後、水温が急速に低下しないように保温に努めるが、場合によっては、底や側面から面状や線状の発熱体により６時間程保温する。
【００２８】生成水は、水道水、湧水等調達しやすいもので、特に水道水に含まれる塩素も反応により分解され含まれていない。
【００２９】生成された酸性水は、消臭性、殺菌・制菌性に優れ、酸性水の一つの大きな性質である収れん性もある。